(57)【要約】【課題】免震建物のエレベーター乗場に用いられる可動壁と、天井、床板などとの接触による異音の発生を防止する。【解決手段】乗場側の基部側三方枠１７に基部側可動壁２２を枢持し、昇降路側の昇降路側三方枠１８に昇降路側可動壁２３を枢持する。基部側可動壁２２の上端部の基部側上部幅木２８を基部側上部押圧装置２７により基部側及び昇降路側天井板２０，２１に押圧する。また、下端部の基部側下部幅木３４を基部側下部押圧装置３３により基部側及び昇降路側床板に押圧する。昇降路側可動壁２３についても、基部側可動壁２２とほぼ同様である。なお、下部押圧装置３３，４２による押圧力は、上部押圧装置２７，３９による押圧力よりも大に設定する。【選択図】        図２
2004175552.tif 000002
【特許請求の範囲】
【請求項１】
基部建築体に免震装置を介して免震建築体が支持され、上記両建築体に互いに連通する昇降路を設けるとともに、その所定の建築体の乗場側に基部側三方枠を設け、上記昇降路側に上記基部側三方枠に対向する昇降路側三方枠を設けたエレベーター装置において、一側が上記基部側三方枠に枢持された基部側可動壁と、一側が上記昇降路側三方枠に枢持され他側が上記基部側可動壁と並立する昇降路側可動壁と、一側が上記基部側三方枠に固定された基部側天井板と、一側が上記昇降路側三方枠に固定され他側が上記基部側天井板と重合する昇降路側天井板と、一側が上記基部側三方枠に固定された基部側床板と、一側が上記昇降路側三方枠に固定され他側が上記基部側床板と重合する昇降路側床板と、上記両可動壁の裏面に設けられ上記両可動壁の上端部を上記天井板に緩衝体を介して押圧する上部押圧装置と、上記両可動壁の裏面に設けられ上記両可動壁の下端部を上記床板に緩衝体を介して押圧する下部押圧装置とを備えたことを特徴とする免震建物用エレベーターの乗場装置。
【請求項２】
下部押圧装置による押圧力を上部押圧装置による押圧力よりも大にしたことを特徴とする請求項１記載の免震建物用エレベーターの乗場装置。
【発明の詳細な説明】
【０００１】
この発明は、免震装置を用いた建築体に設置されるエレベーターの乗場装置に関するものである。
【０００２】
【従来の技術】
従来の免震建物用エレベーターの乗場装置においては、基部建築体に免震装置を介して免震建築体が支持されている。そして、建築体の階床の乗場に基部出入口が設けられ、昇降路側に昇降路出入口が設けられている。基部出入口と昇降路出入口の間に、基部板、昇降路板、第一中間板及び第二中間板により、基部出入口の出入方向に伸縮可能な乗降通路の側壁が形成されている。これにより、地震時の水平方向の変位に対し、側壁の各板が追従（伸縮）し、空所を発生させることなく通路を確保するようにしている（例えば、特許文献１参照）。
【０００３】
【特許文献１】
特開平１１−１７１４２９号公報（請求項３、図３１〜図３５）
【０００４】
【発明が解決しようとする課題】
上記のような従来の免震建物用エレベーターの乗場装置では、側壁を構成する各板が伸縮可能に構成されているため、側壁と天井及び側壁と床板の間にすき間が設けられている。しかし、地震時に側壁が変位した場合を考えると、このすき間はない方が望ましく、このすき間を適当な部材で塞ぐようにしている。しかし、このすき間を塞いだ場合、通常時でも側壁と閉塞部材との接触から耳ざわりな異音を発生するという問題点がある。
【０００５】
この発明は上記問題点を解消するためになされたもので、乗場の可動壁と天井、床板などとの接触による異音の発生を防止できるようにした免震建物用エレベーターの乗場装置を提供することを目的とする。
【０００６】
【課題を解決するための手段】
この発明に係る免震建物用エレベーターの乗場装置は、建築体の基部側三方枠と昇降路側三方枠に、それぞれ可動壁を枢持し、上記三方枠に天井板及び床板を固定し、両可動壁の上端部を天井板に緩衝体を介して押圧するとともに、両可動壁の下端部を床板に緩衝体を介して押圧するようにしたものである。
【０００７】
（また、下部押圧装置による押圧力を上部押圧装置による押圧力よりも大にしたものである。）
【０００８】
【発明の実施の形態】
実施の形態１．
図１〜図４はこの発明の一実施の形態を示す図で、図１は建物の縦断面図、図２は図１のＩＩ部拡大図、図３は図２の押圧装置部分の左側面図、図４は図１の地震時の変位状態図であり、図中同一符号は同一部分を示す。
【０００９】
図１において、基部建築体１は大地２に建築されており、基部建築体１にはエレベーター昇降路（以下単に昇降路という。）３が設けられている。そして、基部建築体１の上面には、免震装置４を介して免震建築体５が支持されており、免震建築体５には、昇降路３に連通する昇降路６が設けられている。
【００１０】
また、免震建築体５には、昇降路６の上方に機械室７が設けられ、機械室７には巻上装置８が設置されている。そして、巻上装置８には主索９が巻き掛けられ、主索９の一端にはかご１０が結合され、他端にはつり合おもり１１が結合されている。また昇降路３の底部には、かご１０及びつり合おもり１１のそれぞれに対応した緩衝器１２が設置されている。
【００１１】
図２及び図３において、基部及び免震建築体１、５の免震装置４を挟む上下の階床の乗場出入口は、乗場に面する基部側出入口１５と、昇降路３，６に面する昇降路側出入口１６とがあり、基部側出入口１５には、基部側三方枠１７が固定されている。また、昇降路側出入口１６には、昇降路側三方枠１８が固定されており、昇降路側三方枠１８の昇降路３，６側には、乗場戸１９が配置されている。基部側三方枠１７の上枠１７ａには、水平方向へ延在する基部側天井板２０が固定され、昇降路側三方枠１８の上枠１８ａには、同様に昇降路側天井板２１が固定され、両天井板２０，２１は相互に重合している。
【００１２】
基部側三方枠１７と昇降路側三方枠１８の間には、基部側可動壁２２及び昇降路側可動壁２３が立設され、それぞれ一側が基部側三方枠１７及び昇降路側三方枠１８に枢着されている。また、基部建築体１の床面には、水平方向へ延在する基部側床板２４が固定され、昇降路側出入口１６の下方には、水平方向へ延在する昇降路側床板２５が固定され、両床板２４，２５は相互に重合している。また、昇降路側出入口１６の下方には、乗場戸１９の下端を案内する敷居２６が固定されている。
【００１３】
また、基部側可動壁２２の裏面上部には基部側上部押圧装置２７が設けられている。上部押圧装置２７は基部側上部幅木２８、保持金２９、案内棒３０及び弾性体３１によって構成されている。基部側上部幅木２８はＬ字状に形成され、その一辺が基部側可動壁２２の上縁部に重合している。保持金２９はＬ字状に形成され、その一辺が基部側可動壁２２に固定され、幅木２８の他辺と保持金２９の他辺に案内棒３０が遊嵌されている。そして、幅木２８と保持金２９の間には、幅木２８を上方へ付勢する圧縮コイルばね等の弾性体３１が嵌装されている。
【００１４】
そして、幅木２８の上縁部には、超高分子量ポリエチレン等の低摩擦性能を有する部材からなる上部緩衝体３２が装着され、その上面は幅木２８の上端から突出して配置され、基部側天井板２０及び昇降路側天井板２１に当接している。
また、基部側可動壁２２の裏面下部には基部側下部押圧装置３３が設けられている。下部押圧装置３３は上部押圧装置２７と同様に、基部側下部幅木３４、保持金３５、案内棒３６及び弾性体３７によって構成されており、下部緩衝体３８の下面は幅木３４の下端から突出して配置され、基部側床板２４及び昇降路側床板２５に当接している。
【００１５】
また、昇降路側可動壁２３の裏面上部にも、基部側可動壁２２の上部押圧装置２７と同様の上部押圧装置３９が設けられ、昇降路側上部幅木４０に装着された上部緩衝体４１の上面は、昇降路側天井板２１に当接している。また、昇降路側可動壁２３の裏面下部にも、基部側可動壁２２の下部押圧装置３３と同様の下部押圧装置４２が設けられ、昇降路側下部幅木４３に装着された下部緩衝体４４の下面は、昇降路側床板２５に当接している。なお、下部押圧装置３３，４２の押圧力は上部押圧装置２７，３９の押圧力よりも大きく設定されている。
【００１６】
また、基部側可動壁２２の裏面には、水平方向に延在する空所を有する保持枠４５が固定され、昇降路側可動壁２３の裏面には、保持枠４５の上記空所に挿入された保持金４６が固定され、両者４５，４６の係合により、両可動壁２２，２３は互いに連結されている。
【００１７】
次に、この実施の形態の動作を説明する。
上記のような免震建物用エレベーターの乗場装置においては、基部建築体１側と昇降路３，６側とは分離されているため、地震時、基部側三方枠１７と昇降路側三方枠１８間に層間変位が発生する。このとき、基部側三方枠１７に結合された天井板２０、可動壁２２及び床板２４は三方枠１７に追従して変位し、昇降路側三方枠１８に結合された天井板２１、可動壁２３及び床板２５は三方枠１８に追従して変位して層間変位を吸収する。
【００１８】
基部側上部幅木２８は、上部押圧装置２７により、上部緩衝体３２を介して基部側天井板２０及び昇降路側天井板２１を押圧し、昇降路側上部幅木４０は上部押圧装置３９により、上部緩衝体４１を介して昇降路側天井板２１し押圧し、かつこれを介して基部側天井板２０を押圧している。また、基部側下部幅木３４は、下部押圧装置３３により、下部緩衝体３８を介して基部側床板２４及び昇降路側床板２５を押圧し、昇降路側下部幅木４３は、下部押圧装置４２により、下部緩衝体４４を介して昇降路側床板２５を押圧し、これを介して基部側床板２４を押圧している。
【００１９】
したがって、上部幅木２８，４０と天井板２０，２１の接触、下部幅木３４，４３と床板２４，２５の接触により生じる異音、又は床板２４，２５の重合部からの異音は回避することが可能となる。図４に地震発生時の基部側と昇降路側の相対変位の一例を示すが、この場合にも上記異音回避の機能は保たれる。また、下部押圧装置３３，４２の押圧力は上部押圧装置２７，３９の押圧力よりも大きく設定されているので、可動壁２２，２３の自重は下部押圧装置３３，４２で保持され、可動壁２２，２３の枢着部に過大な荷重を与えることを防止することが可能である。
【００２０】
【発明の効果】
以上説明したとおりこの発明の第１発明では、建築体の基部側三方枠と昇降路側三方枠に、それぞれ可動壁を枢持し、天井板及び床板を固定し、両可動壁の上端部を天井板に緩衝体を介して押圧するとともに、両可動壁の下端部を床板に緩衝体を介して押圧するようにしたので、可動壁と天井板又は床板との接触により生じる異音又は床板重合部からの異音の発生を回避することができる。
【００２１】
（また、下部押圧装置による押圧力を上部押圧装置による押圧力よりも大にしたので、可動壁の自重は下部押圧装置で保持され、可動壁の枢持部に過大な荷重を与えることを防止することができる。）
【図面の簡単な説明】
【図１】この発明の実施の形態１を示す建物の縦断画面。
【図２】図１のＩＩ部拡大図。
【図３】図２の押圧装置部分の左側面図。
【図４】は図１の地震時の変位状態図。
【符号の説明】
１  基部建築体、３  昇降路、４  免震装置、５  免震建築体、６  昇降路、１７  基部側三方枠、１８  昇降路側三方枠、２０  基部側天井板、２１  昇降路側天井板、２２  基部側可動壁、２３  昇降路側可動壁、２４  基部側床板、２５  昇降路側床板、２７  基部側上部押圧装置、２８  基部側上部幅木、３１弾性体、３２  上部緩衝体、３３  基部側下部押圧装置、３４  基部側下部幅木、３７  弾性体、３８  下部緩衝体、３９  昇降路側上部押圧装置、４０  昇降路側上部幅木、４１  上部緩衝体、４２  昇降路側下部押圧装置、４３  昇降路側下部幅木、４４  下部緩衝体。
【図１】
2004175552.tif 000003
【図２】
2004175552.tif 000004
【図３】
2004175552.tif 000005
【図４】
2004175552.tif 000006